(57)【要約】【課題】本発明によれば、直接同期信号が入力されないテープレスシステムの端末装置で、正確にフレーム数、ＴＣをカウントすることが出来る。【解決手段】情報管理サーバおよびコントローラと接続されるビデオサーバシステムであって、映像素材データを蓄積、編集、若しくは送出機能の何れかを備えたビデオサーバと、該ビデオサーバを制御する端末装置と少なくとも有するビデオサーバシステムにおいて、前記端末装置は、ベースバンドの映像信号を取得する手段、取得した映像信号に重畳されたＴＣ信号を取得する手段を備え、取得したＴＣ信号を元に、映像の蓄積、編集、送出の正確な時間を計測する。【選択図】図１
2012205179.tif 000002
【特許請求の範囲】
【請求項１】
情報管理サーバおよびコントローラと接続されるビデオサーバシステムであって、映像素材データを蓄積、編集、若しくは送出機能の何れかを備えたビデオサーバと、該ビデオサーバを制御する端末装置と少なくとも有するビデオサーバシステムにおいて、
前記端末装置は、ベースバンドの映像信号を取得する手段、取得した映像信号に重畳されたＴＣ信号を取得する手段を備え、取得したＴＣ信号を元に、映像の蓄積、編集、送出の正確な時間を計測することを特徴としたビデオサーバシステム。
【発明の詳細な説明】
【技術分野】
【０００１】
本発明は、端末装置に正確な時間計測機能を搭載したビデオサーバシステムに関するものである。
【背景技術】
【０００２】
テレビジョン放送業務では、ビデオサーバシステムを用い、番組やＣＭ等の放送素材を記憶装置に記録（収録）した上で放送している。なお、ビデオサーバシステムは、映像信号を蓄積、編集、若しくは送出の少なくとも１つを行うシステムである。また、ビデオサーバシステムにおけるテープレスシステムとは、記憶装置に磁気ディスクや半導体メモリ、光ディスクを用い、ネットワークでシステムを構築したビデオサーバシステムの名称である。
【０００３】
テープレスシステムでは、システム外部からベースバンド等で入力される映像信号をファイルデータ形式に符号化（エンコード）して収録し、収録されたファイルデータを復号化（デコード）して送出する。
テープレスシステムにおいて、放送素材収録時には、まず、他局から送信された映像信号（High Definition - Serial Digital Interface：ＨＤ−ＳＤＩ）やＶＴＲ（Video Tape Recorder）からの映像信号（ＳＤＩ等）を、マトリックススイッチャを経由してエンコーダでファイル形式に符号化して記録装置に収録する。また、収録開始および記録終了日時やタイトルなどの情報（メタデータ）は、情報管理サーバが記録および管理する。
【０００４】
端末装置は、ビデオサーバシステムを制御するために、ビデオサーバシステムに入力および出力される信号と同等の信号を取得する必要がある。当該ビデオサーバシステムの端末装置は、入力される映像信号を切替え表示し、必要な映像信号を選択および蓄積する機能と、蓄積した映像を編集する機能と、編集した映像を切替えながら連続して送出する機能を持つ。
端末装置は、ビデオサーバに対象映像のタイムコード（ＴＣ：Time Code）を指定することにより、指定されたＴＣの映像信号の蓄積、編集、若しくは送出を行う。
なお、サーバおよびクライアント間の時刻同期方法として、例えば特許文献１に記載の技術が開示されている。
【０００５】
端末装置に必要なベースバンド信号（上述のビデオサーバに入力および出力される信号と同等の信号）の入力は、収録映像信号用（収録用エンコーダ側）と編集映像信号用（試写用デコーダ側）とから入力される。
なお、送出映像信号（送出用デコーダ）は、外部回線に伝送（出力）されるため、端末装置ではなく、ＨＤ（High Definition）モニタに映像信号を入力して映像の内容を確認するため、端末装置には入力しない。
【先行技術文献】
【特許文献】
【０００６】
【特許文献１】特開２００３−１０８５３９号公報
【発明の概要】
【発明が解決しようとする課題】
【０００７】
従来のビデオサーバシステムにおいて、端末装置は、送出された映像の時間を計測するため、映像の送出開始からの時間を計測し、端末装置の画面上に表示する。端末装置が送出された映像の時間や残り時間を表示するためには、送出を開始してからの経過時間および残時間をフレーム単位で計測する必要がある。
従来のビデオサーバシステムの端末装置は、表示するＴＣを送出用デコーダからネットワーク経由で定期的に取得し、ＴＣ計測の誤差を補間していた。しかし、実際に送出される映像信号は、ＦＳ（Frame Synchronizer）を介して出力されるため、デコーダから取得したＴＣと、実際に送出される映像信号のＴＣは異なり、端末装置に表示するＴＣと送出映像の同期も異なっていた。
送出映像の残時間は、送出映像の全体フレーム数から、送出された映像のフレーム数を引いた値となる。しかし、端末装置には送出映像信号が入力されないため、送出された映像のフレーム数を外部から取得することができない。端末装置が送出された映像のフレーム数を把握するには、送出開始を検出し、送出された映像のフレーム数を端末装置内で算出しなければならない。
映像信号のフレームレートは、２９．９７［ｆｐｓ］（正確には、３０×（１０００／１００１）＝２９．９７００２９［ｆｐｓ］であるため、１フレームは１／｛３０×（１０００／１００１）｝＝０．０３３３６６６６６・・・［ｓ］となる。このため、現行のシステムでは、端末装置の内部時計を元にフレームを算出しようとすると丸め誤差が発生する。
本発明の目的は、上記のような問題に鑑み、端末装置で正確なフレーム数を算出することを目的とし、さらに、端末装置に入力されない送出映像と、端末装置に表示するＴＣカウントとを同期させることを目的とする。
【課題を解決するための手段】
【０００８】
上記の目的を達成するために、本発明のビデオサーバシステムは、情報管理サーバおよびコントローラと接続されるビデオサーバシステムであって、映像素材データを蓄積、編集、若しくは送出機能の何れかを備えたビデオサーバと、該ビデオサーバを制御する端末装置と少なくとも有するビデオサーバシステムにおいて、前記端末装置は、ベースバンドの映像信号を取得する手段、取得した映像信号に重畳された同期信号を取得する手段を備え、取得した同期信号を元に、端末装置で映像の蓄積、編集、送出の正確なＴＣを計測するものである。
【発明の効果】
【０００９】
本発明によれば、直接同期信号が入力されないテープレスシステムの端末装置で、正確にフレーム数、ＴＣをカウントすることが出来る。
【図面の簡単な説明】
【００１０】
【図１】本発明のビデオサーバシステムの一実施例に係る映像信号伝送系の構成を示すブロック図である。
【図２】本発明のビデオサーバシステムの一実施例に係るコントロール信号伝送系の構成を示すブロック図である。
【図３】本発明のビデオサーバシステムの処理フローの一実施例を説明するためのタイミングチャートである。
【図４】本発明のビデオサーバシステムの一実施例の端末装置における信号伝送処理を説明するためのフローチャートである。
【発明を実施するための形態】
【００１１】
従来の端末装置の内部時計では、１フレームを正確に算出することができないため、本発明のビデオサーバシステムでは、端末装置の外部から同期信号が重畳された映像信号を取得する。端末装置は同期信号の立ち上がりを検出し、これを基準にカウントを行なうことで正確に１フレームを算出する。
本発明のビデオサーバシステムでは、収録用の映像信号は、外部から入力されるベースバンド信号をＦＳおよびエンコーダを介して、ベースバンド信号として端末装置に入力する。
【００１２】
なお、試写用の映像信号は、端末装置のカウンターとしては利用できない。その理由は、収録用の映像信号は送出用の映像信号と同じタイミングで同期信号を刻むのに対し、送出用の映像信号は、停止、巻き戻し等の再生操作により、送出用の映像信号と同期信号のタイミングが一致しないためである。
端末装置に表示するＴＣと送出される映像信号との同期は、送出開始の通知を検出した後の同期信号の立ち上がりを検出した時点でカウントを開始することで解決される。
以下に、本発明の一実施形態を、図面等によって説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
【００１３】
図１によって、本発明のビデオサーバシステムの一実施例の信号伝送について説明する。図１は、本発明のビデオサーバシステムの一実施例の信号伝送系の構成を示すブロック図である。図１のビデオサーバシステム１００は、ＦＳ１１１，１１２，１１３および１１４、エンコーダ１２１，１２２，１２３および１２４、ＬＡＮ（Local Network Area）１３０、ビデオサーバ１４０、デコーダ１６１，１６２，１６３および１６４、スイッチャ１７０、並びに端末装置１８１，１８２で構成される。また、ビデオサーバ１４０は記憶装置１４１を備える。
ＦＳ１１１，１１２，１１３および１１４は、ビデオサーバシステム１００の外部からそれぞれ入力される映像信号の同期信号を元に、自局の同期タイミングに、入力される映像信号を合わせこみ、ＦＳ１１１はエンコーダ１２１に出力し、ＦＳ１２２はエンコーダ１２２に出力し、ＦＳ１１３はエンコーダ１２３に出力し、ＦＳ１２４はエンコーダ１２４に出力する。
エンコーダ１２１，１２２，１２３および１２４は、それぞれ、入力された映像信号を映像データに変換し、ＬＡＮ１３を介してビデオサーバに伝送する。またエンコーダ１２１，１２２，１２３および１２４は、スイッチャ１７０を介して端末装置１８１若しくは１８２に伝送する。
【００１４】
ビデオサーバシステムは、外部から入力される映像データを蓄積し、要求に応じて対象の映像データを編集および送出する。
デコーダ１６１、１６２、１６３及び１６４は、それぞれ、端末装置１８１若しくは１８２から要求された映像データをビデオサーバ１４０から読出し、デコーダ１６１若しくは１６２を介して映像信号に変換し、外部へ送出し、又は、デコーダ１６３若しくは１６４を介して端末装置１８１若しくは１８２に出力する。
スイッチャ１７０は、端末装置１８１若しくは１８２が要求するエンコーダ（エンコーダ１２１，１２２，１２３および１２４）に繋がる伝送路と、要求を行った端末装置と接続する伝送路を繋ぎかえる機能を持つ。
端末装置１８１および１８２は、エンコーダ１２１，１２２，１２３若しくは１２４から伝送される信号を受信し、表示する機能と、デコーダ１６３若しくは１６４から伝送される信号を受信し、表示する機能を有する。
なお、ＬＡＮ１３０は図１では２つに分離されて図示されているが、実際には、この２つのネットワークは、一体構成（図２参照）若しくは、相互にアクセス可能に接続されている。
【００１５】
図１の構成は映像信号伝送系の構成を示しているため、映像信号が伝送されない機器の記載が省略されている。本発明のビデオサーバシステムの一実施例の構成は、図１の構成に加え図２の情報管理サーバおよびコントローラを含む。
図２によって、本発明のビデオサーバシステムの一実施例のコントロールについて説明する。図２は、本発明のビデオサーバシステムの一実施例に係るコントロール信号伝送系の構成を示すブロック図である。なお、図１で説明した各機器の動作については省略する。図２のビデオサーバシステム２００は、情報管理サーバ２１０、コントローラ２２０、ＦＳ１１１，１１２，１１３および１１４、エンコーダ１２１，１２２，１２３および１２４、ＬＡＮ（Local Network Area）１３０、ビデオサーバ１４０、デコーダ１６１，１６２，１６３および１６４、スイッチャ１７０、並びに端末装置１８１，１８２で構成される。また、ビデオサーバ１４０は記憶装置１４１を備える。
【００１６】
図２の実施例のビデオサーバシステム２００において、端末装置１８１、１８２は、操作者からの操作命令を受付け、操作命令をコントローラ２２０もしくは、情報管理サーバ２１０に伝送する。
コントローラ２２０は、端末装置１８１若しくは１８２から伝送された操作命令を制御命令に変換し、ビデオサーバシステム２００内の該当する装置に制御命令を伝送する。
情報管理サーバ２１０は、端末装置１８１、１８２の間で、コントローラ２２０の制御結果や、ビデオサーバ１４０の映像データの情報など、テープレスシステムの状態情報が同じになるようにする。
エンコーダ１２１〜１２４は、それぞれ、コントローラ２２０から伝送される制御命令に従い、入力された映像信号を、映像データに変換し、ビデオサーバ１４０に伝送する。
ビデオサーバ１４０は、コントローラ２２０から伝送される制御命令に従い、入力される映像データを記憶装置１４１に蓄積し、要求に応じて対象の映像データを送出する。
デコーダ１６１〜１６４は、それぞれ、コントローラ２２０から伝送される制御命令に従い、要求された映像データをビデオサーバ１４０から読出し、映像信号に変換して送出する。
スイッチャ１７０は、コントローラ２２０から伝送される制御命令に従い、要求されたエンコーダと端末装置とを接続する。
情報管理サーバ２１０は、ビデオサーバシステム２００内の情報を統括管理し、ビデオサーバシステム２００内の各装置の要求に応じて必要な情報を該当する装置に伝送する。
【００１７】
図３によって、本発明のビデオサーバシステムの処理フローの一実施例を説明する。図３は、本発明のビデオサーバシステムの処理フローの一実施例を説明するためのタイミングチャートである。上から下方向に時間が経過する。なお、ＬＡＮ１３０等各装置間で映像信号（ＳＤＩ信号）、映像データ信号（ＬＡＮ）、制御信号（ＬＡＮ）等の各種信号を経由する伝送線路についての記述は省略する。
【００１８】
図３において、まず時刻ｔ１において、外部回路３１０はベースバンド映像信号を該当するＦＳ１１１に伝送する。ＦＳ１１１は、入力されたベースバンド映像信号に応答して、時刻ｔ２に入力されたベースバンド映像信号を該当するエンコーダ１２１に伝送する。エンコーダ１２１は、時刻ｔ３に、入力されたベースバンド映像信号を該当する端末１８１に伝送すると共に、映像データをビデオサーバ１４０に伝送する。
【００１９】
上記状態において、端末装置１８１は、時刻ｔ４に、送出準備要求信号をコントローラ２２０に伝送し、コントローラは、時刻ｔ５に、状態通知信号を情報管理サーバ２１０に伝送すると共に、送出準備要求信号を該当するデコーダ１６１に伝送する。デコーダ１６１は、時刻ｔ６に、入力された送出準備要求信号をビデオサーバ１４０に伝送する。
ビデオサーバ１４０は、時刻ｔ７に、入力された送出準備要求信号に対応する映像データを該当するデコーダ１６１に伝送する。デコーダ１６１は、入力された映像データに対応して、時刻ｔ８に、送出準備通知信号をコントローラ２２０に伝送する。
コントローラ２２０は、時刻ｔ９に、入力された送出準備信号に対応して情報管理サーバ２１０に状態通知を伝送すると共に、該当する端末装置１８１に送出準備通知信号を伝送する。
端末装置１８１は、時刻ｔ１１に、入力された送出準備通知に対応して、送出開始要求信号をコントローラ２２０に伝送する。コントローラ２２０は、時刻ｔ１２に、該当するデコーダ１６１に送信開始要求信号を伝送する。デコーダ１６１は、時刻ｔ１３に、入力された送信開始要求信号に対応して、ベースバンド映像信号を外部回路３１０に伝送すると共に、コントローラ２２０に送信開始通知信号を伝送する。コントローラ２２０は、時刻ｔ１４に、入力された送信開始通知信号に対応して、端末装置１８１に送信開始通知信号を伝送する。
送信開始通知を受信した端末装置１８１は直ちにＴＣのカウントをスタートさせる。
図示してないが、デコーダ１６１、デコーダ１６２を経由して送出される映像信号は、ＦＳ１１３、１１４と同じ同期信号で動作するＦＳを経由して出力される。そのため、端末装置はＦＳ１１３、１１４から入力される映像信号の同期信号をカウンターとしてＴＣをカウントすることで、エンコーダ１６１、１６２から出力される映像のＴＣカウントを正確に行うことが出来る。
【００２０】
図４によって、本発明のビデオサーバシステムの一実施例の信号伝送について、さらに説明する。図４は、本発明のビデオサーバシステムの一実施例の端末装置における信号伝送処理を説明するためのフローチャートである。このような処理のカウンターとして、端末装置は収録用の映像信号に重畳された同期信号を用いる。
【００２１】
端末装置は、ステップＳ０１で時間ｔ１４の送出開始通知信号の有無を監視する。送出開始通知信号を検出した場合、ステップＳ０２に進む。ステップＳ０２では、先に指定されている再生速度に応じて、通常の再生速度ならばステップＳ０３に進み、そうでなければステップＳ０４に進むというように、ＴＣのカウントをスタートさせる。
例えば、再生速度が通常の再生速度（１倍速）であった場合には、ステップＳ０３で、同期信号と同じ速度でＴＣカウントを開始する。
再生速度がスロー等であった場合、ステップＳ０４で、同期信号を元に、指定された速度でＴＣカウントを開始する。（例えば、再生速度が０．５倍速であった場合、同期信号が２回入力された場合にＴＣを１カウントする。）
ステップＳ０５では、ＴＣカウントを継続し、再生が停止したことを端末装置が検出した場合には、ステップＳ０６に進み、ステップＳ０６でＴＣのカウントを停止する。
【００２２】
上述したように、従来のビデオサーバシステムの場合、端末装置で正確にフレームカウントするためには直接同期信号を入力する必要がある。しかし、上記実施例のビデオサーバシステムの端末装置は同期信号単体を受信する機能を備えていない。
そこで、本発明のビデオサーバシステムにおいて、端末装置で正確にフレームをカウントするために、ＦＳを経由して入力される映像信号を取得し、同期信号を分離、取得する。そのため、ＦＳから出力される映像から同期信号を検出することで、端末装置は正確にフレーム数を算出するためのカウンターを得ることが出来る。
【００２３】
この結果、本発明のビデオサーバシステムにおいて、端末装置は取得できない送出映像の経過時間および、残時間を正確に表示することが出来る。
【符号の説明】
【００２４】
１００，２００：ビデオサーバシステム、  １１１，１１２，１１３，１１４：ＦＳ、  １２１，１２２，１２３，１２４：エンコーダ、  １３０：ＬＡＮ、  １４０：ビデオサーバ、  １４１：記憶装置、  １６１，１６２，１６３．１６４：デコーダ、  １７０：スイッチャ、  １８１，１８２：端末装置、  ２１０：情報管理サーバ、  ２２０：コントローラ。
【図１】
2012205179.tif 000003
【図２】
2012205179.tif 000004
【図３】
2012205179.tif 000005
【図４】
2012205179.tif 000006